(57)【特許請求の範囲】
【請求項１】
圧電ユニット及びガス弁を内蔵したガスライターにおいて、圧電ユニットの頭部を押圧できる押圧部を有した揺動部材をライター本体の内部に組込み、付勢手段によりライター本体からの突出方向に付勢した着火レバーを前記揺動部材に摺動可能に支持し、着火レバーに対する係合により前記付勢手段に抗して着火レバーをライター本体内の引込み位置に保持する手動可能なロックボタンを付勢ばねで付勢してライター本体に付設したことを特徴とするガスライター。
【請求項２】
前記付勢手段は前記揺動部材と着火レバーとの間に介在させたコイルスプリングであることを特徴とする請求項１記載のガスライター。
【請求項３】
前記着火レバーは前記揺動部材との間に設ける長孔及びスライドピンにより揺動部材に対して摺動可能に支持されることを特徴とする請求項１及び請求項２のいずれかひとつに記載のガスライター。
【請求項４】
前記ロックボタンは指先で押込むことができる着火レバーの外端部の下部に形成する係合孔に係合可能な係合爪を有し、ライター本体の外面に露呈された指掛けを手動操作することにより前記付勢ばねに抗して前記係合孔から係合爪を外すことができることを特徴とする請求項１から請求項３のいずれかひとつに記載のガスライター。
【請求項５】
前記圧電ユニットの頭部と前記ガス弁との間にはライター本体の内部の支点部材により中間部を支点支持された開弁レバーが配置されたことを特徴とする請求項１から請求項４のいずれかひとつに記載のガスライター。
【請求項６】
前記着火レバーは、引込み位置にあるとき、ライター本体の頂部の火口を内部から覆うシャッタ部を備えることを特徴とする請求項１から請求項５のいずれかひとつに記載のガスライター。
【発明の詳細な説明】
【技術分野】
【０００１】
本発明は喫煙用ガスライターに関し、特に不使用時の不用意な点火を防いだガスライターに関する。
【背景技術】
【０００２】
周知のように、喫煙に用いられる放電着火式ガスライターはライター本体の内部に圧電ユニット及びガス弁を内蔵しており、着火レバーの手動操作により圧電ユニット及びガス弁が動作されるのが普通であるが、不用意に着火レバーが誤操作されると、着火する危険性がある。
このため、従来では、例えば特開２００１−６５８６５号公報に示されているように、使用後に燃料ガスの噴出を遮断する構造や、特開２００５−０２４１４５号公報に示されているように、燃料注入時の着火レバーの誤作動を防止する構造が提案されている。
【特許文献１】特開２００１−６５８６５号公報
【特許文献２】特開２００５−０２４１４５公報
【発明の開示】
【発明が解決しようとする課題】
【０００３】
しかしながら、前述したような従来の改良構造では、ポケット中等で着火レバーが誤操作されることや、幼児の誤操作の危険に対しては無防備であり、これらの不用意な誤操作により、可燃性ガスの漏出や火傷の危険性は避けられない。
本発明の目的は、以上に述べたような従来のガスライターの問題に鑑み、不使用時にあっては着火レバーが不作動状態に鎖錠され、簡単な操作で操作可能状態となり、しかも使用後に着火レバーを簡単に不作動位置に戻すことができるガスライターを得るにある。
【課題を解決するための手段】
【０００４】
この目的は、本発明によれば、圧電ユニット及びガス弁を内蔵したガスライターにおいて、圧電ユニットの頭部を押圧できる押圧部を有した揺動部材をライター本体の内部に組込み、付勢手段によりライター本体からの突出方向に付勢した着火レバーを前記揺動部材に摺動可能に支持し、着火レバーに対する係合により前記付勢手段に抗して着火レバーをライター本体内の引込み位置に保持する手動可能なロックボタンを付勢ばねで付勢してライター本体に付設したガスライターにより達成される。
【発明の効果】
【０００５】
本発明によれば、不使用時にあっては着火レバーが不作動状態に鎖錠され、簡単な操作で操作可能状態となり、しかも使用後に着火レバーを簡単に不作動位置に戻すことができるので、不使用時に着火レバーが誤操作される危険性を回避できる。
【発明を実施するための最良の形態】
【０００６】
１）前記付勢手段は前記揺動部材と着火レバーとの間に介在させたコイルスプリングであることを特徴とする構造、
２）前記着火レバーは前記揺動部材との間に設ける長孔及びスライドピンにより揺動部材に対して摺動可能に支持される構造、
３）前記ロックボタンは指先で押込むことができる着火レバーの外端部の下部に形成する係合孔に係合可能な係合爪を有し、ライター本体の外面に露呈された指掛けを手動操作することにより前記付勢ばねに抗して前記係合孔から係合爪を外すことができる構造、
４）前記圧電ユニットの頭部と前記ガス弁との間にはライター本体の内部の支点部材により中間部を支点支持された開弁レバーが配置されたこと構造
を提案するものである。
【実施例１】
【０００７】
以下、図面について本発明の実施例の詳細を説明する。
図面中、符号「１」は火口１ａ及び通気孔１ｂを形成されたライター本体１を、符号「２」はライター本体１中に内臓された圧電ユニット２を、符号「３」はノズル３ａをもつガス弁３をそれぞれ示している。
【０００８】
図１において、樹脂成形されるライター本体１の内部には揺動軸４に枢支された揺動部材５が組み込まれ、この揺動部材５の押圧部５ａは圧電ユニット２の頭部２ａに臨まされ、図１における揺動軸４を中心とした時計方向の揺動部材５の揺動により圧電ユニット２の頭部２ａが押下げられる。また、ライター本体１の内部にはストッパ６が配置され、このストッパ６により揺動部材５の反時計方向の位置規制が行われる。
【０００９】
前記揺動部材５の上部には樹脂成形された着火レバー７が摺動可能に支持され、手動操作可能な着火レバー７は揺動部材５との間に設けるスライドピン８と長孔９との係合により摺動範囲が規制される。
そして、前記揺動部材５のばね受け１０と着火レバー７との間にはコイルスプリング１１が介在され、このコイルスプリング１１により揺動部材５に対して着火レバー７が図１の右方向へ付勢される。
【００１０】
外端部７ｃの右面に指先を当ててライター本体１の内部に引込めることができる着火レバー７の上面７ｄには、図３に示す着火レバー７の操作可能状態のとき親指を当てることができ、この状態で着火レバー７を下方に押すことにより、揺動部材５の押圧部５ａを介して圧電ユニット２の頭部２ａを下降し、ノズル３ａ先端位置にある電極（図示せず）に着火放電を行うことができる。
一方、着火レバー７はその左端にシャッタ部７ａを有し、このシャッタ部７ａは、着火レバー７が図１の引込み位置にあるとき火口１ａの内部を覆い、火口１ａからの異物の進入を防止できる。
【００１１】
前記着火レバー７の外端部７ｃの下面には係合孔７ｂが形成され、同係合孔７ｂに臨んだライター本体１の側壁には付勢ばね１２で上方に向かって付勢されたロックボタン１３が上下動可能に支持される。即ち、このロックボタン１３は前記係合孔７ｂに落込める係合爪１３ａを備え、ライター本体１外に露呈した指掛け１３ｂを下方に引くことにより係合爪１３ａが着火レバー７の係合孔７ｂから外れる。
【００１２】
前記ライター本体１の内部にはガス弁３と圧電ユニット２との中間に位置した支点部材１４が位置され、この支点部材１４には板ばねからなる開弁レバー１５が支持される。この開弁レバー１５の右端部１５ａは圧電ユニット２の頭部２ａの下面に臨まされ、開弁レバー１５の左端部１５ｂはガス弁３のカラーの下面に臨ませてあるので、圧電ユニット２の頭部２ａにより開弁レバー１５の右端部１５ａが下降されると、支点部材１４を支点として開弁レバー１５の左端部１５ｂが上昇され、ガス弁３が開かれ、ノズル３ａの先端から可燃性ガスが噴出されることになる。
【００１３】
図示実施例によるガスライターは、以上のような構造であるから、不使用状態における各部材は図１に示すような状態にある。つまり、ライター本体１の火口１ａが着火レバー７のシャッタ部７ａで覆われ、着火レバー７はロックボタン１３の係合により引込んだ位置に鎖錠されている。
したがって、ライター本体１の内部へ外部からの異物が侵入されるのが防止されると共に、着火レバー７がライター本体１の内部に完全に引込んだ不作動位置に保持されているため、着火レバー７を外部から操作することは不可能で、これにより不用意の着火レバー７の操作を防止できる。
【００１４】
ガスライターを使用するには、図２に示すように、ロックボタン１３の指掛け１３ｂに指先を当て、同ロックボタン１３を下向きに僅かに押下げればよい。
このロックボタン１３の操作で、係合爪１３ａが着火レバー７の係合孔７ｂから外れるので、図３に示すように、着火レバー７の外端部がコイルスプリング１１の力によりライター本体１の外部へ押出される。この結果、着火レバー７のシャッタ部７ａがライター本体１の火口１ａから外れ、着火の準備が整う。
【００１５】
したがって、図４に示すように、着火レバー７の外端部７ｃを下向きに押すと、着火レバー７を支持している揺動部材５が揺動軸４を中心として時計方向に揺動され、揺動部材５の押圧部５ａにより圧電ユニット２の頭部２ａが押下げられる。この場合、着火レバー７の押下げに伴って、コイルスプリング１１が「Ｕ」字状に撓み、揺動部材５の反時計方向への復元力が蓄勢される。これと同時に、圧電ユニット２の頭部２ａの下降により開弁レバー１５の右端部１５ａが押下げられ、開弁レバー１５の左端部１５ｂによりガス弁３が開かれ、ノズル３ａの先端から可燃ガスが噴出され、圧電ユニット２の放電により同可燃ガスが燃焼される。
【００１６】
使用後に、着火レバー７から指先を離せば、圧電ユニット２の頭部２ａの復元力及びコイルスプリング１１の蓄勢復元力により、着火レバー７及び揺動部材５が図３の実線示の位置に戻るから、指先で着火レバー７の外端部７ｃをライター本体１中に押込めば、ロックボタン１３の係合爪１３ａにより着火レバー７がライター本体１中に鎖錠される。
【００１７】
図示例のガスライターにあっては、不使用時の着火レバー７はライター本体１中に引込んだ状態におかれ、しかもロックボタン１３で着火レバー７が鎖錠されるため、着火レバー７の不用意な操作で着火されることを回避でき、安全性の高いガスライターを提供できる。
【産業上の利用可能性】
【００１８】
前述した実施例においては、着火レバー７をコイルスプリング１１で付勢する構造を例示したが、このコイルスプリング１１は他の付勢手段で置換でき、また、スライドピン８を揺動部材５に、着火レバー７に長孔９を形成した例を例示したが、スライドピン８に長孔９を、着火レバー７にスライドピン８を設けてもよい。そして、開弁レバー１５は他の構造のシーソ部材であってもよい。
【図面の簡単な説明】
【００１９】
【図１】本発明のガスライターの一部破断正面図である。
【図２】ロックボタンを押下げた状態の一部破断正面図である。
【図３】着火レバーを開放した状態の一部破断正面図である。
【図４】着火レバーを押下げた状態の一部破断正面図である。
【符号の説明】
【００２０】
１  ライター本体
２  圧電ユニット
３  ガス弁
４  揺動軸
５  揺動部材
６  ストッパ
７  着火レバー
１１  コイルスプリング
１２  付勢ばね
１３  ロックボタン
１５  開弁レバー
【図１】
0004767226.tif 000002
【図２】
0004767226.tif 000003
【図３】
0004767226.tif 000004
【図４】
0004767226.tif 000005